(57)【要約】【課題】  これらは、次の欠点があった。例えば携帯ライトでは手に持つと両手が使えず、頭につけると光軸の動きが激しく見にくく装着者は外観を損なう。この発明はこれらの課題を解決されるためになされたものである。【解決手段】   帯状体にて２枚の補強板で長尺体を挟んで固定し携行品を取り付ける。補強板のバネ効果により帯状体の締め付け効果を得る。補強板に滑り止め部材を交互に備え固定能力を向上させる。本発明は以上の特徴よりなる長尺体取付具である。【選択図】      図１
2017184849.tif 000002
【特許請求の範囲】
【請求項１】
長尺体の前面側に配置される第１面と、前記第１面の端部に連接され、前記長尺体の後面側に配置される第２面と、前記第１面における前記第２面との連接部と反対側の端部に連接され、前記第２面の後面側に取着される第３面とを一体に備えて全体が帯状に形成され、
前記第１面と前記第２面とで長尺体を挟んだ後、前記第３面を前記第２面の後面に取着することにより、前記長尺体に取付けられるよう形成され、前記第２面と前記第３面とは、面ファスナー等を使用して取着され、前記第１面及び前記第２面における前記長尺体と対向する面に弾発性を有する補強板が貼着されたことを特徴とする長尺体への取付具。
【請求項２】
前記第１面及び前記第２面における前記長尺体と対抗する面に滑り止め材が貼着されたことを特徴とする請求項１記載の長尺体への取り付具。
【請求項３】
前記滑り止め材は交互に貼着されていることを特徴とする請求項１記載または請求項２記載の長尺体への取付具。
【請求項４】
前記第１面又は第３面における前記長尺体との当接面の反対側の面は携行品が取着される面に形成されていることを特徴とする請求項１乃至請求項３のいずれかに記載の長尺体への取付具。
【発明の詳細な説明】
【技術分野】
【０００１】
この発明は従来ある携行品を簡易に脱着及び固定することができる長尺体取付具に関するものである。
【背景技術】
【０００２】
従来の携行品は取付け箇所に応じた形状の取付具にて保持もしくは手に持って携行する必要があった。例えば帯状への取り付はポーチやバッグのベルト部品に巻き付けて携帯電話・スマートフォン・カメラ・音楽プレーヤー等を携行していた。直接身体に固定する場合は携行品がベルト状で頭部・頸部・腕部・腰部・脚部などに巻き付けて使用していた。首からぶら下げたヒモ状の先端に携行品を装着し使用していた。柱状への取り付は、例えば自転車の前後ライト等をハンドルやフレーム、サドルポストに取り付けるには専用の取付具が必要であった。
【先行技術文献】
【特許文献】
【０００３】
【特許文献１】特開２０１２−２５５４９７号公報
【特許文献２】特開２０１５−１５０４０４号公報
【特許文献３】特開２０１５−１１２３３４号公報
【特許文献４】特開２０１５−２０２９０４号公報
【特許文献５】特開２００６−０００３６４号公報
【特許文献６】特開２００４−０９７３４６号公報
【特許文献７】特開２０１４−０８７５４８号公報
【特許文献８】特開２０１４−１０１１３８号公報
【発明の概要】
【発明が解決しようとする課題】
【０００４】
これらは、次の欠点があった。ポーチやバッグなどのベルト部分に取り付ける場合、巻き付けるだけでは上下、又はベルトの裏側に携行品が移動してしまい一定箇所に固定することが出来ず、別途固定具を備える必要があるため取り付けに手間がかかる。光軸の安定を必要とするライト・カメラなど使用する方向が決まっている携行品については使用範囲に制限がある。取り付け箇所が頭部・頸部・腕部・腰部・脚部に限られる。携行品を首からぶら下げて使用するには体に密着させる事が出来ないため体の動きにより携行品が激しく動いたり、首からヒモがすり抜け落下したり周囲の物体にぶつけるなどして破損する恐れがある。従来型だと、その形状以外の箇所には取り付けが難しい。カバンやポーチ・バッグのベルト部分や体に直接巻き付けて使用することができなかった。携帯ライトでは手に持つと片手が使えない。
この発明は、以上のような欠点をなくすためのものである。
【課題を解決するための手段】
【０００５】
請求項１の長尺体への取付具は、長尺体の前面側に配置される第１面と、前記第１面の端部に連接され、前記長尺体の後面側に配置される第２面と、前記第１面における前記第２面との連接部と反対側の端部に連接され、前記第２面の後面側に取着される第３面とを一体に備えて全体が帯状に形成され、前記第１面と前記第２面とで長尺体を挟んだ後、前記第３面を前記第２面の後面に取着することにより、前記長尺体に取り付けられるよう形成され、前記第２面と前記第３面とは、面ファスナー等を使用して取着され、前記第１面及び前記第２面における前記長尺体と対向する面に補強板が貼着されて形成されている。
請求項２の前記第１面及び前記第２面における前記長尺体と対抗する面に滑り止め材が貼着され形成されている。請求項３の前記滑り止め材は交互に貼着されて形成されている。
請求項４の前記第１面又は第３面における前記長尺体との当接面の反対側の面は携行品が取着される面に形成されている。
【発明の効果】
【０００６】
従来品より固定範囲が広く、（円柱・多角柱・ヒモ状・帯状等の長尺体にも幅広く固定できる）簡易に脱着・取り外しができ、バッグのベルトに取り付けても上下に動いたりベルトの裏側に回ったりせず、ズレ・滑りなく圧着の力を調整しながら締め付ける。変形しやすい長尺体に固定でき、装着者の外観を損なわない。使用時、手が塞がらない。ライトを装着した時帽子を被っても照射を遮らず、安定した光軸が確保できる。携帯ライト以外の固定ができる。例えば携帯電話・スマートフォン・ポーチ・バッグ・カメラ・ワッペン等。シートベルト等ベルトの固定ができる。長尺体と装着者の間に長尺体取付具を固定するとさらに携行品が安定する。複数の長尺体取付具を使用して長尺体同士を固定できる。ホース・チューブ・血管等柔軟性のある管に使用したとき中を通る流体の流量の調整及び遮断ができる。
【図面の簡単な説明】
【０００７】
【図１】本発明の長尺体への取付具の斜視図である。
【図２】図１の長尺体への取付具の三面図である。
【図３】図２の取付具を長尺体に取り付ける方法、手順を示す説明図である。
【図４】図２の長尺体に取り付けた取付具に携行品を取り付けた状態を示し、ａは平面図、ｂは正面図、ｃはｂのＡ−Ａ切断線による断面図である。
【図５】図２の取付具を長尺体に取り付けた状態で補強板が作用する力の方向を示す平面図である。
【図６】図２の補強板の位置を移動させる状態を示しａは平面図、ｂは正面図である。
【図７】図２の取付具の変形例を示しａは平面図、ｂは正面図、ｃは右側面図、ｄは補強板１３の変形例を示す平面図である。
【図８】図７の取付具に携行品を取り付けた状態を示しａは平面図、ｂは正面図、ｃはｂのＢ−Ｂ切断線による断面図である。
【図９】図２の取付具の別の変形例を示しａは正面図、ｂは正面図である。
【図１０】図２の取付具の更に別の変形例を示しａは正面図、ｂは右側面図、ｃは正面図、ｄは右側面図である。
【図１１】図２の取付具の更に別の変形例を示しａは平面図、ｂは正面図、ｃは右側面図である。
【図１２】図１１の取付具に携行品を取り付けた状態を示しａは平面図、ｂは正面図、ｃはＣ−Ｃ切断線による断面図である。
【図１３】図２の取付具の更に別の変形例を示しａは正面図、ｂは平面図である。
【図１４】図１３の取付具を取り付けた管内の流体の調整と流量を示しａは開放したときの断面図、ｂは開放したときの平面図、ｃは調整したときの断面図、ｄは調整したときの平面図、ｅは遮断したときの断面図、ｆは遮断したときの平面図である。
【図１５】図２の補強板を長尺体の断面に合わせた取付具を示しａは長尺体が角柱のもの、ｂは丸柱のものである。
【図１６】図２の取付具の更に別の変形例を示しａはポケットアダプターの三面図、ｂ、ｃは取付図である。
【発明を実施するための形態】
【０００８】
以下、本発明の長尺体への取り付具を図に基づいて説明する。
図１において、長尺体８１はベルトである。図２において長尺体８１への取り付具は、長尺体８１の前面側に配置される第１面と、前記第１面の端部に連接され、前記長尺体８１の後面側に配置される第２面と、前記第１面における前記第２面との連接部と反対側の端部に連接され、前記第２面の後面側に取着される第３面とを一体に備えて全体が帯状に形成されている。そして、長尺体８１への取付具は、前記第１面と前記第２面とで長尺体８１を挟んだ後、前記第３面を前記第２面の後面に取着することにより、前記長尺体８１に取り付けられるよう形成され、前記第２面と前記第３面とは、面ファスナー等を使用して取着され、前記第１面及び前記第２面における前記長尺体８１と対向する面に補強板が貼着されている。
更に具体的には、基材１は長尺体８１に向かう内側面とその反対に向かう外側面とを有し第１面は基材１における内側面に補強板１１及び滑り止め部材２１が重ねた状態で貼着されている。第２面は前記第１面と同じ内側面に補強板１２及び滑り止め部材２１が重ねた状態で貼着され、外側面に面ファスナー３３が貼着されている。滑り止め部材２１は第１面の補強板１１及び第２面の補強板１２に、互いに重ならないように交互に取り付けられている。第３面は内側面に面ファスナー３１が貼着され外側面に面ファスナー３２が貼着されている。
基材１は折り曲げ可能な繊維などの材質で構成されている。補強板１１，１２は弾発性、伸縮性のある樹脂などの材質で構成され、第１面の補強板１１の長手方向の寸法をＡ、第２面の補強板１２の長手方向の寸法をＢ、補強板１１と補強板１２との間隔をＣとすると、Ａ≧Ｂ+Ｃ  かつＢ≧２／３Ａ  の関係になっており、この寸法関係によって締め付け効果が向上するようになっている。但し、必ずしもこの寸法関係に限定されるものではない。
滑り止め部材２１は柔軟性、伸縮性及び長尺体８１に対する滑り難い発泡ゴムなどの材質で構成されている。面ファスナー３１，３３は基材１を帯状に固定できるようルーフ、フックを組み合わせて貼着されている。
ここで更に詳しくは長尺体８１としてはバンド、取手、支柱、柔軟性のある管等を挙げることができる。また、基材１としては折り曲げが可能な樹脂、ゴム、面ファスナー（会社名クラレファスニング  商品名マジックテープ（登録商標）  フックルーフ混在を使用した時は下記の面ファスナー３１〜３４は不要）を挙げることができる。補強板１１，１２の材質としては金属、ゴム、カーボン繊維、紙などがあげられ形状・板厚を変えることでバネの特性を選ぶことができる。滑り止め部材２１の材質には金属、樹脂、ゴム、紙、ウレタン、カーボン繊維などがあげられる。ただし、補強板１１，１２が滑り止めの効果を得られる形状、材質であれば滑り止め部材２１は不要とすることができる。また、滑り止め部材２１は補強板のバネ効果が得られるのであれば、補強板１１，１２と兼用するものとしてもよい。
次に、このように構成された取付具を長尺体に取り付ける方法を説明する。最初に図３に示すように、長尺体８１への取付具の第１面の内側面を長尺体８１における携行品９１の取り付け側との反対側に長尺方向と直交する方向にあてがい、次いで、第２面の補強板１２を第１面の内側面に向かい合わせるよう折り込み、その後、第３面の内側面を第２面の外側面に折り込み、基材１を締め付けながら固定する。そして、図４に示すように、携行品９１の固定側を第３面の外側面に固定する。
ここで、図５にて示すように、補強板１１，１２は板バネの役割をはたし長尺体８１を挟んだときに補強板１１，１２の両側の端部間が第１面と第２面の基材１によって挟圧されて狭まり、その反発力として両端部に矢印方向の外側に向かう力が発生する。これに伴い、中央部では逆に矢印で示すように、長尺体８１を両側から挟み付ける力が増大し、長尺体８１は弾力的に強く締め付けられ強固に保持される。
次に、長尺体８１への取付具の作用を説明する。従来品より固定範囲が広く、（円柱・多角柱・ヒモ状・帯状等の長尺体にも幅広く固定できる）簡易に脱着・取り外しができ、バッグのベルトに取り付けても上下に動いたりベルトの裏側に回ったりせず、ズレ・滑りなく圧着の力を調整しながら締め付けることができる。また、変形しやすい長尺体に固定でき、装着者の外観を損なわない。そして、使用時は両手が塞がらないので作業しやすい。更にライトを装着した時帽子を被っても照射を遮らず、安定した光軸が確保できる。携帯ライト以外の固定もできる。例えば携帯電話・スマートフォン・ポーチ・バッグ・カメラ・ワッペン等である。シートベルト等ベルトへの固定もできる。長尺体と装着者の間に長尺体取付具を固定するとさらに携行品が安定する。加えて、複数の長尺体取付具を使用して長尺体同士を固定できる。また、ホース・チューブ・血管等柔軟性のある管に使用したとき中を通る流体の流量の調整及び遮断ができる。
ところで、本実施形態の長尺体への取付具は図６に示すように基材１の長さ・幅を大きく、また補強板１１の取り付け位置を変えたりすることにより長尺体の各種形状に広範囲に対応できる。
また、図７，８に示すように携行品９１における長尺体８１との接触面に基材１の第２面の機能を備えている場合には、第１面の補強板１３あるいは１４を使用して携行品８１の既存の固定具部分を利用し、例えばヘッドライトのベルト穴等などに固定することもできる。ここで、補強板１３，１４の端部には、長尺体８１の固定具部分に内側からあるいは外側から引掛ける鈎状の引掛部が設けられている。    
次に図９ａに示すように基材１の第２面、第３面にスリットを備えれば、長尺体８１に突起、変形に対応できる。
図９ｂに示すように補強板１２を２枚に分け第２面が２つに折れれば締め付け効果はより向上する。
更に、図２のように滑り止め部材２１が第２面、第３面に交互に貼着されるのが固定に効果的であるが携行品９１が長尺体８１を固定できれば滑り止め部材２１は平面２枚でもよい。
図１０ａ，ｂに示すように基材１の第３面に取り付け穴を備えれば、この取り付け穴にヒモ等を通すことにより長尺体９１を取り付けることもできる。更に、図１０ｃ，ｄに示すように補強板に取り付け穴やフックを備えれば、長尺体８１に加工をせずに物を吊るす又はヒモ等を通したり物を掛ける事ができる。
図１１，１２に示すように長尺体８１の取付具は、基材１の第１面あるいは、第３面の外側面に携行品９１を直接固定した脱着不能なものとしてもよい。
取付具が非常に小さくて取り外しにくいものである場合には、図１３に示すように引き外しヒモ５１を基材１の第３面に取り付けておけば引き外しヒモ５１を引くことで簡単に長尺体固定具を取り外しが可能になる。また、図１３に示すように第３面の面ファスナーを上下に分割してここにピンセットが入るスペースを設けてもよい。図１４に示すようにホース・チューブ・血管等柔軟性がある管状に取り付けた場合、管の中を通る流体の流量調整及び遮断を行える。
図１５に示すように補強板１７を長尺体８１の断面に合わせた形状とすれば、長尺体８１に加工をせず補強板１７で長尺体８１を挟持してこの固定具を固定できる。
図１６にて示すように柔軟性、伸縮性のある樹脂、金属，ゴム、カーボン繊維等の材質などで構成されたポケットアダプター４１を使用することにより、長尺体取付具をポケットに挟んでからその両面をポケットアダプター４１で更に挟持することができ、携行品９１をポケットに安定して取り付けることができる。
ところで、図２等においては面ファスナー３１，３３を使用して巻き付け、固定しているが、面ファスナーに代えてボタン、テープ、両面テープ、ホックなどを使用して固定してもよい。なお、基材１、補強板１１〜１６、滑り止め部材２１は面ファスナー、両面テープ、接着、縫製等にて固定することができる。また、携行品９１は面ファスナーにて取り付けるようにしているが両面テープ、接着、縫製等で取り付けることもできる。  
基材１の長さ、幅を長尺体８１に合わせることで携行品９１を複数取り付けることが可能である。
【産業上の利用可能性】
【０００９】
本発明は、従来のヘッドライト・ハンドライト・カメラとは別の固定方法による光軸調整、装着範囲の広い取り付けに利用でき、登山、キャンプ、釣り、サイクリング、ジョギング、散歩、警備、看護、介護、通勤、通学、防災などに利用できる。また、ホース、チューブ、血管等柔軟性のある管状内の流体の流量調整及び遮断に利用でき、園芸、工業、化学、医療などに利用できる。
【符号の説明】
【００１０】
１    基材
１１  補強板（第１面）
１２  補強板（第２面）
１３  補強板（１枚内掛け）
１４  補強板（１枚外掛け）
１５  補強板（取り付穴有り）
１６  補強板（フック有り）
１７  補強板（長尺体断面に応じた形状）
２１  滑り止め部材
３１  面ファスナーＡ（第３面内側）
３２  面ファスナーＢ（第３面外側）
３３  面ファスナーＣ（第２面外側）
３４  面ファスナーＤ（第１面外側）
３５  面ファスナーＥ（携行品側）
４１  ポケットアダプター
５１  引き外しヒモ
８１  長尺体
８２  柔軟性のある管
９１  携行品
【図１】
2017184849.tif 000003
【図２】
2017184849.tif 000004
【図３】
2017184849.tif 000005
【図４】
2017184849.tif 000006
【図５】
2017184849.tif 000007
【図６】
2017184849.tif 000008
【図７】
2017184849.tif 000009
【図８】
2017184849.tif 000010
【図９】
2017184849.tif 000011
【図１０】
2017184849.tif 000012
【図１１】
2017184849.tif 000013
【図１２】
2017184849.tif 000014
【図１３】
2017184849.tif 000015
【図１４】
2017184849.tif 000016
【図１５】
2017184849.tif 000017
【図１６】
2017184849.tif 000018